(57)【要約】【課題】ユーザの軽い手動操作力で記録媒体を確実にコネクタ接続することができる「情報装置」を提供すること。【解決手段】収納部１ａの両内側面に形成したガイド溝１ｂと可動ホルダ２の両外側面に形成したガイド突起２ａとの凹凸嵌合よってガイド手段を構成し、ロックレバー１０によって可動ホルダ２を収納部１ａ内の前進位置にロック状態に保持する。この前進位置で可動ホルダ２に記録媒体４を挿入してロックレバー１０を動作することにより、可動ホルダ２をアンロック状態に切り替えた後、可動ホルダ２を上記ガイド手段により収納部１ａ内の後退位置まで導き、この後退位置で記録媒体４の挿入方向先端側に設けられた可動側コネクタ５と収納部１ａの奥側に設けられた固定側コネクタ６とを接続するようにした。【選択図】図６
2008123599.tif 000002
【特許請求の範囲】
【請求項１】
前面を開口した収納部の後面側に固定側コネクタが配設された筐体と、挿入方向の先端側に可動側コネクタを有する記録媒体が挿入・保持される可動ホルダと、この可動ホルダを前記収納部内の前進位置と後退位置との間で前後方向へ案内するガイド手段と、前記前進位置で前記可動ホルダを前記筐体に対してロック／アンロック状態に切り替え可能な切替手段とを備え、
前記前進位置にロック状態で保持された前記可動ホルダに前記記録媒体を挿入することにより、この記録媒体の挿入力で前記切替手段を動作させて前記可動ホルダをアンロック状態にした後、前記可動ホルダを前記ガイド手段に沿って前記後退位置まで移動して前記可動側コネクタを前記固定側コネクタに接続させるように構成したことを特徴とする情報装置。
【請求項２】
請求項１の記載において、前記記録媒体の挿入方向に対して略直交方向へ移動可能なスライドロック板を設け、このスライドロック板と前記可動ホルダのいずれか一方にカム孔を設けると共に、いずれか他方に前記カム孔内を摺動する駆動ピンを設け、前記可動ホルダが前記前進位置から前記後退位置まで移動したときに、前記駆動ピンを前記カム孔と連続するロック部に係合させることにより、前記スライドロック板が前記可動ホルダを前記後退位置にロックすることを特徴とする情報装置。
【請求項３】
請求項２の記載において、前記カム孔が、前記記録媒体の挿入方向に対して傾斜する方向へ延びる傾斜部と、この傾斜部の端部から前記記録媒体の挿入方向に対して略直交方向へ延びる前記ロック部とを有し、前記可動ホルダの前後進に伴って前記駆動ピンが前記傾斜部内を移動すると共に、前記可動ホルダが前記後退位置まで移動したときに、前記駆動ピンが前記傾斜部から前記ロック部へ移行するようにしたことを特徴とする情報装置。
【請求項４】
請求項３の記載において、前記筐体にイジェクトレバーを前後方向へ移動可能に支持し、このイジェクトレバーの押し込み操作に伴って前記スライドロック板を前記記録媒体の挿入方向に対して略直交方向へ移動することにより、前記駆動ピンが前記ロック部から前記傾斜部へ移行して前記可動ホルダのロック状態を解除することを特徴とする情報装置。
【請求項５】
請求項１の記載において、前記切替手段が、前記可動ホルダに移動可能に支持されたロックレバーと、前記筐体に設けられた係止部と、前記ロックレバーを前記係止部と係合する方向へ付勢するばね部材とを有し、前記前進位置に保持された前記可動ホルダに挿入された前記記録媒体が前記ばね部材の付勢力に抗して前記ロックレバーを移動することにより、該ロックレバーと前記係止部の係合が解除されて前記可動ホルダをロック状態からにアンロック状態に切り替えることを特徴とする情報装置。
【発明の詳細な説明】
【技術分野】
【０００１】
本発明は、記録媒体の挿入方向先端側に設けられた可動側コネクタを装置の固定側コネクタに接続することによってデータの授受を行う情報装置に係り、特に、記録媒体をユーザの手動操作によってコネクタ接続するタイプの情報装置に関するものである。
【背景技術】
【０００２】
従来より、ハードディスク等のデータ格納部を内蔵した記録媒体を筐体の収納部内に挿入することにより、記録媒体の挿入方向先端側に設けられた可動側コネクタと収納部内に配設された固定側コネクタとを接続し、このコネクタ接続を介して記録媒体と装置間でデータの授受を行うようにした情報装置が知られている（例えば、特許文献１参照）。ここで、コネクタ接続される可動側コネクタと固定側コネクタのうち、一方は複数のクリップ状メス型端子を所定ピッチで配列したものからなり、他方は複数のピン状オス型端子をメス型端子と同ピッチで配列したものからなる。また、筐体の収納部は前面を開口した直方体形状の空間であり、この収納部の相対向する内側面には前後方向に延びる凸状のガイドレールが形成されている。記録媒体は収納部の前面開口から内部に挿入されるようになっており、記録媒体の両側面にはガイドレールに対応する凹状のガイド溝が形成されている。
【０００３】
このように概略構成された情報装置において、ユーザが記録媒体を手動操作で収納部の内部に挿入すると、記録媒体はガイド溝とガイドレールの凹凸嵌合によって収納部奥側の後退位置へと案内され、この後退位置で記録媒体の可動側コネクタに筐体の固定側コネクタが嵌挿されて両者はコネクタ接続状態となる。また、ユーザがコネクタ接続状態にある記録媒体を挿入時と逆向きに引き抜き操作すると、可動側コネクタが固定側コネクタから抜き出て接続解除された後、記録媒体はガイド溝とガイドレールの凹凸嵌合に案内されて収納部の前面開口から取り出される。
【特許文献１】特開２００１−２９１３８２号公報（第４−５頁、図３）
【発明の開示】
【発明が解決しようとする課題】
【０００４】
前述した従来の情報装置では、記録媒体の両側面に形成されたガイド溝と収納部の両内側面に形成されたガイドレールとを凹凸嵌合させることにより、記録媒体が収納部に対して幅方向と高さ方向に位置決めされた状態で前後方向へ案内移動されるため、収納部の後退位置で記録媒体の可動側コネクタと筐体の固定側コネクタとを確実にコネクタ接続することができる。しかしながら、ガイド溝をガイドレールに凹凸嵌合して構成されるガイド機構に記録媒体の位置決め機能と前後方向へのガイド機能の両方を持たせているため、記録媒体の外形寸法のばらつきに起因して両ガイド溝の底面間隔が両ガイドレールの対向間隔よりも極端に狭くなってしまうと、記録媒体が収納部の幅方向へガタついて可動側コネクタに固定側コネクタを確実に嵌挿することができなくなる。このような理由により、記録媒体の予想される寸法誤差範囲内で両ガイドレールの対向間隔を両ガイド溝の底面間隔よりも若干狭く設定しておく必要があるが、それに伴ってガイド機構の凹凸嵌合力が必然的に高められていくため、可動側コネクタを固定側コネクタに対して挿抜させるとき、コネクタ挿抜力にガイド機構の大きな凹凸嵌合力が付加されて全体として非常に強い力が必要となり、記録媒体を手動操作するユーザにとって使い勝手が悪くなるという問題があった。
【０００５】
本発明は、このような従来技術の実情に鑑みてなされたもので、その目的は、ユーザの軽い手動操作力で記録媒体を確実にコネクタ接続することができる情報装置を提供することにある。
【課題を解決するための手段】
【０００６】
本発明は、筐体側のガイド手段によって収納部の前後方向へ案内移動するようにした可動ホルダに記録媒体の挿入ガイド機能を持たせ、収納部内の前進位置にロック状態で保持された可動ホルダに記録媒体を挿入・保持した後、この可動ホルダをアンロック状態に切り替えてガイド手段により収納部内の後退位置まで導き、この後退位置で記録媒体の可動側コネクタと固定側コネクタとを接続することとした。
【発明の効果】
【０００７】
本発明の情報装置は、筐体の収納部内にガイド手段によって前後方向へ案内される可動ホルダを配置すると共に、この可動ホルダを収納部内の前進位置で記録媒体の挿入によってロック／アンロック状態に切り替え可能となし、収納部内の前進位置にロック状態で保持された可動ホルダに記録媒体を挿入・保持した後、可動ホルダをアンロック状態に切り替えてガイド手段により収納部内の後退位置まで導き、この後退位置で記録媒体の可動側コネクタと固定側コネクタとを接続するようにしたので、前進位置にある可動ホルダに記録媒体を挿入・保持するときに必要とされる挿入力は、その後にガイド手段が可動ホルダを前進位置と後退位置間で案内移動するときには不要となるため、ユーザは後退位置で記録媒体の可動側コネクタを固定側コネクタに対して軽い手動操作力で確実に挿抜することができる。
【発明を実施するための最良の形態】
【０００８】
本発明の情報装置では、前面を開口した収納部の後面側に固定側コネクタが配設された筐体と、挿入方向の先端側に可動側コネクタを有する記録媒体が挿入・保持される可動ホルダと、この可動ホルダを前記収納部内の前進位置と後退位置との間で前後方向へ案内するガイド手段と、前記前進位置で前記可動ホルダを前記筐体に対してロック／アンロック状態に切り替え可能な切替手段とを備え、前記前進位置にロック状態で保持された前記可動ホルダに前記記録媒体を挿入することにより、この記録媒体の挿入力で前記切替手段を動作させて前記可動ホルダをアンロック状態にした後、前記可動ホルダを前記ガイド手段に沿って前記後退位置まで移動して前記可動側コネクタを前記固定側コネクタに接続させるように構成した。
【０００９】
このように構成された情報装置では、収納部の前進位置にある可動ホルダに記録媒体を挿入・保持するときに必要とされる挿入力が、記録媒体の挿入された可動ホルダを前進位置と後退位置間で案内移動するときには一切不要となる。すなわち、可動ホルダに対する記録媒体の挿入操作タイミングと、可動側コネクタと固定側コネクタの接続操作タイミングとを完全に分離したため、ユーザは記録媒体の可動側コネクタを固定側コネクタに対して軽い手動操作力で確実に挿抜することができる。
【００１０】
上記の構成において、記録媒体の挿入方向に対して略直交方向へ移動可能なスライドロック板を設け、このスライドロック板と可動ホルダのいずれか一方にカム孔を設けると共に、いずれか他方にカム孔内を摺動する駆動ピンを設け、可動ホルダが前進位置から後退位置まで移動したときに、駆動ピンをカム孔と連続するロック部に係合させることにより、スライドロック板が可動ホルダを後退位置にロックするように構成すると、記録媒体を保持した可動ホルダが後退位置から不用意に移動しなくなるため、確実なコネクタ接続状態を維持することができる。
【００１１】
この場合において、前記カム孔が、記録媒体の挿入方向に対して傾斜する方向へ延びる傾斜部と、この傾斜部の端部から記録媒体の挿入方向に対して略直交方向へ延びる前記ロック部とを有し、可動ホルダの前後進に伴って駆動ピンが傾斜部内を移動すると共に、前記可動ホルダが前記後退位置まで移動したときに、駆動ピンが傾斜部からロック部へ移行するように構成することが好ましい。その際、筐体にイジェクトレバーを前後方向へ移動可能に支持し、このイジェクトレバーの押し込み操作に伴ってスライドロック板を記録媒体の挿入方向に対して略直交方向へ移動することにより、駆動ピンがロック部から傾斜部へ移行して可動ホルダのロック状態を解除するように構成すると、記録媒体を収納部から取り出す排出機構を簡略化することができて好ましい。
【００１２】
また、上記の構成において、可動ホルダをロック／アンロック状態に切り替え可能な切替手段が、可動ホルダに移動可能に支持されたロックレバーと、筐体に設けられた係止部と、ロックレバーを係止部と係合する方向へ付勢するばね部材とを有し、前進位置に保持された可動ホルダに挿入された記録媒体がばね部材の付勢力に抗してロックレバーを移動することにより、該ロックレバーと係止部の係合が解除されて可動ホルダをロック状態からにアンロック状態に切り替えるように構成すると、簡単な構成で切替手段を実現することができて好ましい。
【実施例】
【００１３】
実施例について図面を参照して説明すると、図１は本発明の実施例に係る情報装置の待機状態を示す平面図、図２は該情報装置の待機状態を示す側面図、図３は該情報装置に備えられる可動ホルダに記録媒体を挿入完了した状態を示す平面図、図４は該可動ホルダに記録媒体を挿入完了した状態を示す側面図、図５は該可動ホルダの移動途中状態を示す平面図、図６は該記録媒体のコネクタ接続状態を示す平面図、図７は該記録媒体のコネクタ接続状態を示す側面図、図８は該記録媒体の取り出し途中状態を示す平面図である。
【００１４】
本実施例に係る情報装置は、図示しない装置本体の外装ケース内に設置された収納部１ａを有する箱形形状の筐体１と、収納部１ａの内部に前後方向（矢印Ｘ１−Ｘ２方向）へ移動可能に配置された可動ホルダ２と、筐体１に左右方向（矢印Ｙ１−Ｙ２方向）へ移動可能に支持されたスライドロック板３とを備えており、上記外装ケースおよび収納部１ａの前面開口を通して筐体１に対して記録媒体４を挿入／排出できるようになっている。この記録媒体４は合成樹脂製のケーシングの内部にハードディスク（図示せず）を収納した携帯端末機であり、その挿入側端面には可動側コネクタ５が設けられると共に、上面にはディスプレイ４ａと操作ノブ４ｂが配設されている。また、記録媒体４の下面には一対の係合溝４ｃが形成され、記録媒体４の左右両側面には挿入／排出方向へ延びるガイド溝４ｄが形成されている。
【００１５】
筐体１の収納部１ａは前面を開口した直方体形状の空間であり、この収納部１ａの相対向する両内側面には前後方向へ延びるガイド溝１ｂが形成されている。また、収納部１ａの最奥部には固定側コネクタ６が設けられており、後述するように、記録媒体４が収納部１ａ内に格納された装着状態において、記録媒体４の可動側コネクタ５が固定側コネクタ６に接続されるようになっている。なお、詳細な構造は図示省略されているが、可動側コネクタ５は複数のクリップ状メス型端子を所定ピッチで配列したものからなり、固定側コネクタ６は複数のピン状オス型端子をメス型端子と同ピッチで配列したものからなる。
【００１６】
可動ホルダ２は前面全体と後面の一部を開口した箱状体からなり、記録媒体４はこの可動ホルダ２に挿入・保持されるようになっている。可動ホルダ２の両外側面には前後方向へ延びるガイド突起２ａが形成されており、これらガイド突起２ａが筐体１の対応するガイド溝１ｂに移動可能に嵌合されることにより、可動ホルダ２を収納部１ａ内の前進位置と後退位置との間で案内移動するガイド手段が構成されている。また、可動ホルダ２の両内側面には前後方向に延びるガイドレール２ｂが形成されており、これらガイドレール２ｂにガイド溝４ｄを嵌合することにより、記録媒体４は可動ホルダ２の内部に挿入ガイドされるようになっている。ここで、使用される記録媒体４は一般的に市販されているものであって、その外形寸法は製品毎に若干のばらつきが予想されるので、記録媒体４の予想される寸法誤差範囲内で両ガイドレール２ｂの対向間隔は両ガイド溝４ｄの底面間隔よりも僅かに広く設定されている。また、両ガイドレール２ｂの厚みは両ガイド溝４ｄの溝幅よりも僅かに小さくなるように設定されている。その結果、記録媒体４は可動ホルダ２に対して高い位置精度で挿入・保持されることになるが、ガイドレール２ｂとガイド溝４ｄ間の凹凸嵌合力が高くなるため、ユーザは記録媒体４をある程度大きな力で可動ホルダ２に挿入する必要がある。一方、ガイド溝１ｂとガイド突起２ａの寸法公差は記録媒体４の外形寸法誤差に比べて小さく設定できるため、これらガイド溝１ｂとガイド突起２ａ間の凹凸嵌合力は低くて済み、可動ホルダ２は小さな力で前後方向へ移動することができる。
【００１７】
可動ホルダ２の後端部と筐体１の前端部との間には一対のコイルばね７が張架されており、可動ホルダ２はこれらコイルばね７によって筐体１の手前側（Ｘ１方向）へ弾性付勢されている。可動ホルダ２の底面には、一対の駆動ピン２ｃが植設されると共に、一対のロックアーム８がＹ１−Ｙ２方向に延びる軸を中心に回動可能に支持されている。これらロックアーム８の先端側には爪部８ａが形成されており、筐体１の収納部１ａの底面には爪部８ａに対向する傾斜面１ｃが形成されている。ロックアーム８の後端部には板ばね９が弾接されており、爪部８ａはこの板ばね９の弾発力によって傾斜面１ｃに圧接されている。ロックアーム８の爪部８ａは記録媒体４の下面に形成された係合溝４ｃと係脱可能であり、図２に示すように、前進位置にある可動ホルダ２に記録媒体４が挿入されていない待機状態において、爪部８ａは傾斜面１ｃの下段部に圧接されて可動ホルダ２の底面とほぼ同一面に保持されている。
【００１８】
可動ホルダ２の上面には一対のロックレバー１０が回動可能に支持されており、これらロックレバー１０は筐体１の上面に植設された係止ピン１１と係脱可能になっている。ロックレバー１０は捩りコイルばね１２によって係止ピン１１と係止する方向へ回動付勢されており、このようにロックレバー１０が係止ピン１１に係止することにより、可動ホルダ２は前進位置で筐体１に対してロック状態となって奥側（Ｘ２方向）への移動が阻止される。また、ロックレバー１０の後端には受部１０ａが形成されており、この受部１０ａは下方に延びて可動ホルダ２の後端部に位置している。受部１０ａは可動ホルダ２に挿入される記録媒体４の挿入側端面に対向しており、記録媒体４が可動ホルダ２の最奥部まで挿入されて受部１０ａを押圧すると、ロックレバー１０が捩りコイルばね１２に抗して回動して係止ピン１１から離脱することにより、可動ホルダ２は筐体１に対してアンロック状態となって奥側への移動が許可される。すなわち、これらロックレバー１０と係止ピン１１（係止部）および捩りコイルばね１２（ばね部材）によって、可動ホルダ２を筐体１に対してロック／アンロック状態に切り替え可能な切替手段が構成されている。
【００１９】
スライドロック板３は可動ホルダ２の下方に配置されており、このスライドロック板３には一対の長孔１３と一対のカム孔１４が形成されている。長孔１３には筐体１の底面に植設されたガイドピン１５が挿入されており、これら長孔１３とガイドピン１５との係合によってスライドロック板３の移動方向が左右方向（Ｙ１−Ｙ２方向）に規制されている。また、スライドロック板３の後端部と筐体１の後端面との間にはコイルばね１６が張架されており、スライドロック板３はこのコイルばね１６によって筐体１の右側（Ｙ２方向）へ弾性付勢されている。スライドロック板３のカム孔１４は、記録媒体４の挿入／排出方向に対して傾斜方向へ延びる逆くの字状の傾斜部１４ａと、記録媒体４の挿入／排出方向に対して直交方向へ延びるロック部１４ｂとを有しており、ロック部１４ｂは傾斜部１４ａの後端に連続している。このカム孔１４には可動ホルダ２の底面に植設された駆動ピン２ｃが挿入されており、可動ホルダ２の前後方向への移動に伴って駆動ピン２ｃがカム孔１４内を移動することにより、可動ホルダ２の前後進移動がスライドロック板３の左右方向への移動に変換されるようになっている。
【００２０】
すなわち、収納部１ａの前進位置で可動ホルダ２がロック状態に保持されているとき、図１に示すように、駆動ピン２ｃは傾斜部１４ａの前端と係合しており、スライドロック板３は右側（Ｙ２方向）の末端位置に保持されている。また、可動ホルダ２が収納部１ａの前進位置から後退位置へ移動するとき、図５，６に示すように、駆動ピン２ｃはカム孔１４の傾斜部１４ａを経てロック部１４ｂまで移動し、その間にスライドロック板３は左側（Ｙ１方向）の末端位置まで移動した後に右側の末端位置へ戻る。そして、この後退位置で駆動ピン２ｃがロック部１４ｂに係合することにより、可動ホルダ２が後退位置で筐体１に対してロック状態となって手前側（Ｘ１方向）への移動が阻止される。
【００２１】
スライドロック板３の右側端には三角形状の突出部３ａが形成されており、この突出部３ａはスライドロック板３の左右方向への移動に伴って筐体１の右側面から出入するようになっている。この筐体１の右側面にはイジェクトレバー１７が前後方向（Ｘ１−Ｘ２方向）へ移動可能に支持されており、このイジェクトレバー１７はコイルばね１８によって筐体１の手前側（Ｘ１方向）へ弾性付勢されている。イジェクトレバー１７はスライドロック板３の突出部３ａに係合しており、イジェクトレバー１７をコイルばね１８に抗して筐体１の奥側へ押し込み操作すると、この押し込み力が突出部３ａの傾斜面で水平方向の移動に変換されることにより、スライドロック板３が右側の末端位置から左方側（Ｙ２方向）へ移動するようになっている。
【００２２】
次に、上記のごとく構成された情報装置の動作を説明する。
【００２３】
図１，２は記録媒体４が可動ホルダ２に挿入されていない待機状態を示しており、この場合、可動ホルダ２は収納部１ａの前進位置まで移動してロックレバー１０と係止ピン１１の係合によってロック状態に維持されている。また、可動ホルダ２の駆動ピン２ｃはスライドロック板３の傾斜部１４ａの前端と係合しており、スライドロック板３は右側（Ｙ２方向）の末端位置に保持されている。さらに、ロックアーム８の爪部８ａは筐体１に形成された傾斜面１ｃの下段部に圧接されており、爪部８ａの上端は可動ホルダ２の底面とほぼ同一面に保持されている。
【００２４】
かかる待機状態において、ユーザが手動操作により記録媒体４を可動ホルダ２の前面開口から内部に挿入すると、記録媒体４は自身のガイド溝４ｄがガイドレール２ｂに嵌合することで可動ホルダ２の奥側へと挿入ガイドされる。そして、記録媒体４が可動ホルダ２の最奥部まで挿入されると、図３に示すように、記録媒体４の挿入側端面が受部１０ａに当接してこれを押圧するため、ロックレバー１０が捩りコイルばね１２に抗して回動して係止ピン１１から離脱する。その結果、可動ホルダ２はロック状態からアンロック状態に切り替えられ、この時点で可動ホルダ２は筐体１の奥側への移動が許可される。
【００２５】
このように可動ホルダ２がアンロック状態に切り替えられた後、ユーザが記録媒体４を収納部１ａの奥側へさらに押し込むと、可動ホルダ２のガイド突起２ａが筐体１のガイド溝１ｂに沿って案内移動されることにより、可動ホルダ２を収納部１ａの前進位置から後退位置へ向かって矢印Ｘ２方向へ移動させることができ、かかる可動ホルダ２の移動に伴って駆動ピン２ｃがカム孔１４の傾斜部１４ａ内を通ってロック部１４ｂまで移動する。この場合、まず可動ホルダ２が図３から図５に示す位置までＸ２方向へ移動する間に、駆動ピン２ｃが傾斜部１４ａの前端から中央の屈曲部まで移動するため、それに伴ってスライドロック板３が右側の末端位置から矢印Ｙ１方向へ移動して左側の末端位置に至る。次いで可動ホルダ２が図５から図６に示す後退位置まで移動する間に、駆動ピン２ｃが傾斜部１４ａの屈曲部からロック部１４ｂまで移動し、それに伴ってスライドロック板３が左側の末端位置から矢印Ｙ２方向へ移動して右側の末端位置に戻るため、可動ホルダ２は後退位置で駆動ピン２ｃとロック部１４ｂとの係合によってロック状態に保持される。そして、このように可動ホルダ２が後退位置まで移動する直前にユーザの挿入力によって記録媒体４の可動側コネクタ５が固定側コネクタ６に接続されるため、これら可動側コネクタ５と固定側コネクタ６のコネクタ接続を介して記録媒体４のハードディスクに格納された各種データを装置本体側に授受することができる。
【００２６】
また、かかる可動ホルダ２のＸ２方向への移動に伴ってロックアーム８の爪部８ａが傾斜面１ｃの下段部から上段部へ移行するため、図７に示すように、ロックアーム８が回動して記録媒体４の係合溝４ｃに係合し、このロックアーム８によって記録媒体４が可動ホルダ２から脱落しないように保持される。したがって、記録媒体４を収納部１ａ内に格納した装着状態において、可動ホルダ２が後退位置でスライドロック板３によって筐体１の手前側（Ｘ１方向）への移動が阻止されたロック状態に保持されると共に、記録媒体４がロックアーム８によって可動ホルダ２内に確実に保持されるため、記録媒体４が収納部１ａから不用意に飛び出すことはない。なお、このように可動ホルダ２がガイド手段（ガイド溝１ｂとガイド突起２ａ）によって前進位置から後退位置まで案内移動される間、記録媒体４を可動ホルダ２内に挿入・保持するときに必要とされる挿入力（記録媒体４と可動ホルダ２との凹凸嵌合力）は不要であるため、ユーザは記録媒体４に対する軽い挿入力で可動ホルダ２を後退位置までスムーズに移動することができると共に、後退位置で記録媒体４の可動側コネクタ５を固定側コネクタ６に対して軽い挿入力で確実に接続することができる。
【００２７】
図６に示すコネクタ接続状態から記録媒体４を収納部１ａの外部に取り出す場合は、ユーザがイジェクトレバー１７を筐体１の奥側（Ｘ２方向）へ押し込むと、図８に示すように、このイジェクトレバー１７の押し込み操作力によってスライドロック板３が筐体１の左側（Ｙ１方向）へ移動する。これによりスライドロック板３が右側の末端位置から左方へと移動し、スライドロック板３による可動ホルダ２のロック状態が解除されるため、駆動ピン２ｃがカム孔１４のロック部１４ｂから傾斜部１４ａへ移行する。これにより可動ホルダ２が後退位置から筐体１の手前側（Ｘ１方向）へ移動し、図８に示すように駆動ピン２ｃが傾斜部１４ａの中央の屈曲部まで移動する間に、可動側コネクタ５が固定側コネクタ６から抜け出て両者のコネクタ接続が解除される。この場合も記録媒体４と可動ホルダ２との間の凹凸嵌合力はコネクタ抜去力に対して全く妨げとならないため、ユーザはイジェクトレバー１７への軽い押し込み操作力で可動側コネクタ５と固定側コネクタ６間のコネクタ接続状態を解除することができる。そして、可動側コネクタ５と固定側コネクタ６間のコネクタ接続状態が解除された後、イジェクトレバー１７の押し込み力を解除すると、スライドロック板３はＹ２方向へ復帰し、可動ホルダ２はコイルばね７のばね力によって図３に示す前進位置までさらに移動するため、記録媒体４の挿入方向後端部が収納部１ａの前面開口から突出する位置まで押し出される。また、このように可動ホルダ２が前進位置まで移動する間にロックアーム８と記録媒体４の係合溝４ｃとの係合が解除されるため、ユーザは記録媒体４の後端部を掴んで可動ホルダ２から取り出すことができる。その結果、図１に示すように、ロックレバー１０が回動して係止ピン１１と係合するため、可動ホルダ２は再び筐体１の奥側（Ｘ２方向）への移動が阻止されたロック状態に戻る。
【００２８】
なお、上記実施例では、記録媒体４としてハードディスクを内蔵した携帯端末機を例示して説明したが、半導体メモリや光ディスクを内蔵した記録媒体を用いることも可能である。
【００２９】
また、上記実施例では、可動ホルダ２の両外側面に形成したガイド突起２ａを筐体１の両内側面に形成したガイド溝１ｂに凹凸嵌合することにより、可動ホルダ２を収納部１ａ内の前進位置と後退位置との間で案内移動するガイド手段が構成される場合について説明したが、これと逆に筐体のガイド突起を可動ホルダのガイド溝に凹凸嵌合するようにしてもよい。
【図面の簡単な説明】
【００３０】
【図１】本発明の実施例に係る情報装置の待機状態を示す平面図である。
【図２】該情報装置の待機状態を示す側面図である。
【図３】該情報装置に備えられる可動ホルダに記録媒体を挿入完了した状態を示す平面図である。
【図４】該可動ホルダに記録媒体を挿入完了した状態を示す側面図である。
【図５】該可動ホルダの移動途中状態を示す平面図である。
【図６】該記録媒体のコネクタ接続状態を示す平面図である。
【図７】該記録媒体のコネクタ接続状態を示す側面図である。
【図８】該記録媒体の取り出し途中状態を示す平面図である。
【符号の説明】
【００３１】
１  筐体
１ａ  収納部
１ｂ  ガイド溝
１ｃ  傾斜面
２  可動ホルダ
２ａ  ガイド突起
２ｂ  ガイドレール
２ｃ  駆動ピン
３  スライドロック板
３ａ  突出部
４  記録媒体
４ｃ  係合溝
４ｄ  ガイド溝
５  可動側コネクタ
６  固定側コネクタ
７  コイルばね
８  ロックアーム
８ａ  爪部
９  板ばね
１０  ロックレバー
１０ａ  受部
１１  係止ピン（係止部）
１２  捩りコイルばね（ばね部材）
１３  長孔
１４  カム孔
１４ａ  傾斜部
１４ｂ  ロック部
１５  ガイドピン
１６  コイルばね
１７  イジェクトレバー
１８  コイルばね
【図１】
2008123599.tif 000003
【図２】
2008123599.tif 000004
【図３】
2008123599.tif 000005
【図４】
2008123599.tif 000006
【図５】
2008123599.tif 000007
【図６】
2008123599.tif 000008
【図７】
2008123599.tif 000009
【図８】
2008123599.tif 000010